(57)【要約】【課題】着席者の手足の無用の動作を防止して着席者や介護者を保護するものとなし、また着席者に前方への力が作用して上半身が急激に前方へ倒されたとき着席者を保護できるものとなす。【解決手段】背もたれ部３を有する椅子の座部上面に適宜な固定手段９、１０を介して上向き突出状に固定され前記椅子の着席者の股間上部個所に位置されるものとした股間上部位置ずれ規制体１１を備え、該股間上部位置ずれ規制体１１の上部に、全体として比較的軟らかいものとなされたおもちゃなどの注意喚起物１２を設けた構成となす。【選択図】        図２
2004268893.tif 000002
【特許請求の範囲】
【請求項１】
背もたれ部を有する椅子の座部上面に適宜な固定手段を介して上向き突出状に固定され記椅子の着席者の股間上部個所に位置されるものとした股間上部位置ずれ規制体を備え、該股間上部位置ずれ規制体の上部に、全体として比較的軟らかいものとなされたおもちゃなどの注意喚起物を設けたことを特徴とする椅子に取りつけられる身体保持具。
【請求項２】
着席者の臀部が載置される座部と該着席者の背中を支持する背もたれ部とを備えた椅子に取り付けられて該着席者の身体を保持する身体保持具であって、前記着席者の胴体部前面の胸部から腹部に及ぶ範囲に当てられるエプロンと、該エプロンの上縁部左右個所を前記背もたれ部の前面上部左右個所で支持するものとした左右一対の上側ベルト具と、該エプロンの下縁部左右個所を前記背もたれ部の下部で支持するものとした左右一対の下側ベルト具とを備え、また前記座部上面に固定手段を介して上向き突出状に固定されて該着席者の股間上部個所に位置されるものとした股間上部位置ずれ規制体を備え、該股間上部位置ずれ規制体の上部に全体として比較的軟らかいものとなされたおもちゃなどの注意喚起物を設けたことを特徴とする椅子に取りつけられる身体保持具。
【請求項３】
前記固定手段が前記座部上面に滑り移動の規制された状態に載置されたクッションであるか、或いは、前記座部上面にこれの大部分を被った状態に固定された座面被い用布状体であるか、或いは、該座面被い用布状体及びこれの上面に滑り移動の規制された状態に載置されたクッションであることを特徴とする請求項１又は２記載の椅子に取りつけられる身体保持具。
【請求項４】
前記注意喚起物が前記股間上部位置ずれ規制体の上部に交換装着可能に固定されることを特徴とする請求項１、２又は３記載の椅子に取りつけられる身体保持具。
【請求項５】
前記注意喚起物が前記着席者の略々胸部高さに及ぶ高さとなされていることを特徴とする請求項１、２、３又は４記載の椅子に取りつけられる身体保持具。
【請求項６】
前記注意喚起物が音や光を発するものとなしてあることを特徴とする請求項１、２、３、４又は５記載の椅子に取りつけられる身体保持具。
【請求項７】
前記背もたれ部の前面にこれの大部分を被うように固定される背もたれ面被い用布状体と、該背もたれ面被い用布状体の前面に前向き突出状に固定されて該着席者の胴体部中間高さ個所を位置決めするものとした胴体部用パッドとを備え、また前記背もたれ面被い用布状体の上部の左右個所の高さの異なる複数位置のそれぞれに透孔を形成すると共に前記背もたれ面被い用布状体の後面側に位置されて前記背もたれ部の左右各側に縦向きに巻き付けられ且つ前記背もたれ面被い用布状体を支持するものとなされた支持ベルト具を備え、これら左右の支持ベルト具のそれぞれに左右一対の前記上側ベルト具の対応する各基端部を上下変位自在に係着し、これら左右の上側ベルト具のそれぞれが左右各側の前記透孔のうちの対応する任意な一つに挿通されて前記背もたれ面被い用布状体の後側から前側へ延出された構成であることを特徴とする請求項３記載の椅子に取りつけられる身体保持具。
【請求項８】
前記上側ベルト具の自由端側部分、及び又は前記下側ベルト具の自由端側部分を上層側帯部と下層側帯部との二股状に分岐させると共に、これら帯部のうち何れか一方の帯部を他方のものよりも特定寸法だけ長くなしてあり、且つ、前記一方の帯部の先端側を１８０度他方の帯部側へ屈曲してその先端部の上面を該一方の帯部の上面の任意長さ位置に押し付けて特定結合強度の得られる状態に係合固定させ、該固定状態の下で、前記他方の帯部の先端部の下面を前記一方の帯部の先端部の下面に押し付けて特定結合強度の得られる状態に係合固定させる構造となされていることを特徴とする請求項３又は７記載の椅子に取りつけられる身体保持具。
【発明の詳細な説明】
【０００１】
【発明の属する技術分野】
本発明は、椅子に腰掛けた着席者の身体を保持する保持具に関し、より詳細には、椅子に腰掛けた着席者の特に胴体部が許容限度以上に位置ずれしないようにするためのものである。
【０００２】
【従来の技術】
椅子に腰掛けた着席者は、様々な原因によって身体などが許容限度を超えて前方や左右へ位置ずれすることがあり、かかる位置ずれにより着席感が悪化したり着席状態が不安定化したり、さらには椅子から転落するといった好ましくない事態が発生するようになる。
【０００３】
とりわけ身体を自由に動かすことができない身体障害者や高齢者などにあっては、椅子に着席した姿勢を保持することが容易でない場合があることなどから前記した椅子に着席した状態における身体の前方や左右方向への位置ずれが生じやすく前記好ましくない事態が多発する傾向となるのであり、これを防ぐには前記位置ずれを介護者などが成る可く早めに修正する必要がある。
【０００４】
このような実情を解消するため、本出願人は、先に、着席者の臀部が載置される座部と該着席者の背中を支持する背もたれ部とを備えた椅子に取り付けられ該着席者の身体を保持するものとなされた特許文献１に開示されている身体保持具を案出している。
【０００５】
【特許文献１】
特開２００３−１０００３号公報
【０００６】
【発明が解決しようとする課題】
上記した身体保持具は前記着席者の手足を除いた身体、特に胴体部の位置ズレを規制する上では極めて有効に機能にすることが実証されているものである。
しかし、例えば自動車の椅子に装着して使用したときに、着席者が幼児や脳性小児麻痺疾患者などである場合には、比較的自由に動く手などが自動車の操作部材などに触れて予期せぬ事態の発生することがあり得るのである。
本発明は斯かる事態に効果的に対処し得るものとした椅子に取りつけられる身体保持具を提供することを目的とする。
【０００７】
【課題を解決するための手段】
上記目的を達成するため、本発明は、請求項１に記載したように、背もたれ部を有する椅子の座部上面に適宜な固定手段を介して上向き突出状に固定され前記椅子の着席者の股間上部個所に位置されるものとした股間上部位置ずれ規制体を備え、該股間上部位置ずれ規制体の上部に、全体として比較的軟らかいものとなされたおもちゃなどの注意喚起物を設けたものである。
【０００８】
この発明によれば、前記股間上部位置ずれ規制体が身体の左右変位や前方変位を規制するのであり、前記注意喚起物はこのように身体を保持された前記着席者の注意を喚起し該着席者に手で触ってみたくなるような感情を引き起こさせ該着席者を夢中にさせるものとなる。従って、椅子が自動車内の補助席であるような場合、前記着席者が不用意に操縦部材に触ることは防止されるのであり、また衝撃などで前記着席者の上半身が前方へ倒れるようになったとき、股間上部位置ずれ規制体及び注意喚起物が胸部や顔面を軟らかく受け止めるように支持して該着席者を保護する上で寄与する。
【０００９】
また請求項２記載の発明は、着席者の臀部が載置される座部と該着席者の背中を支持する背もたれ部とを備えた椅子に取り付けられて該着席者の身体を保持する身体保持具であって、前記着席者の胴体部前面の胸部から腹部に及ぶ範囲に当てられるエプロンと、該エプロンの上縁部左右個所を前記背もたれ部の前面上部左右個所で支持すものとした左右一対の上側ベルト具と、該エプロンの下縁部左右個所を前記背もたれ部の下部で支持すものとした左右一対の下側ベルト具とを備え、また前記座部上面に固定手段を介して上向き突出状に固定され該着席者の股間上部個所に位置されるものとした股間上部位置ずれ規制体を備え、該股間上部位置ずれ規制体の上部に全体として比較的軟らかいものとなされたおもちゃなどの注意喚起物を設けた構成である。
【００１０】
この発明によれば請求項１記載の発明と同様な作用が得られるほかに次のような作用が得られる。即ち、前記エプロンと左右一対の前記上側ベルト及び前記下側ベルトとが、前記着席者の胴体部の前方向及び左右方向の位置ずれを効果的に許容限度以内に規制するものとなり、また胴体部が前方へ倒れようとしたとき、前記エプロンが胴体部の前面の比較的広い範囲を支持するようになり、前記着席者の胴体部の局所に過大な押圧力が作用し難くなる。
【００１１】
上記発明は次のように具体化することができる。
即ち、請求項３に記載したように、前記固定手段が前記座部上面に滑り移動の規制された状態に載置されたクッションであるか、或いは、前記座部上面にこれの大部分を被った状態に固定された座面被い用布状体であるか、或いは、該座面被い用布状体及びこれの上面に滑り移動の規制された状態に載置されたクッションである構成となす。
【００１２】
このような構成において、前記固定手段がクッションであるときは、前記着席者の座り心地を良好となし、またその厚さが便利に変更されるものとなって、身体保持具の他の構成を変更しないでも本発明品が簡便に前記着席者の体格に適合するものとなる。また前記固定手段が前記座面被い用布状体であるときは、前記クッションである場合に較べて、前記股間上部位置ずれ規制体が前記座部上面の性状とは無関係にしっかりと座面上面に固定され、前記着席者の位置ずれを安定的に規制するものとなる。また前記固定手段が前記座面被い用布状体及び前記クッションからなるときは、前記座面被い用布状体による利点と前記クッションによる利点の両者が得られるものとなる。
【００１３】
また請求項４に記載したように、前記注意喚起物が前記股間上部位置ずれ規制体の上部に交換装着可能に固定される構成となす。このようにすれば、前記注意喚起物が例えば熊などの縫いぐるみからあざらしなどの縫いぐるみに交換されることにより、該注意喚起物が前記着席者に対する新たな注意喚起力を発揮し該着席者を飽きさせない上で寄与するものとなる。
【００１４】
また請求項５に記載したように、前記注意喚起物が前記着席者の略々胸部高さに及ぶ高さとなされている構成となす。このようにすれば、衝撃などで前記着席者の上半身が前方へ倒れるようになったとき、股間上部位置ずれ規制体及び注意喚起物が胸部や顔面をこれらに一層近い位置で衝撃の少ない状態に受け止めて支持するものとなり、該着席者を効果的に保護する上で寄与する。
【００１５】
また請求項６に記載したように、前記注意喚起物が音、光又は臭気を発するものとなされている構成となす。このようにすれば、前記注意喚起物が前記着席者に対する注意喚起力をさらに効果的に発揮するものとなる。
【００１６】
また請求項７に記載したように、前記背もたれ部の前面にこれの大部分を被うように固定される背もたれ面被い用布状体と、該背もたれ面被い用布状体の前面に前向き突出状に固定されて該着席者の胴体部中間高さ個所を位置決めするものとした胴体部用パッドとを備え、また前記背もたれ面被い用布状体の上部の左右個所の高さの異なる複数位置のそれぞれに透孔を形成すると共に前記背もたれ面被い用布状体の後面側に位置されて前記背もたれ部の左右各側に縦向きに巻き付けられ且つ前記背もたれ面被い用布状体を支持するものとなされた支持ベルト具を備え、これら左右の支持ベルト具のそれぞれに左右一対の前記上側ベルト具の対応する各基端部を上下変位自在に係着し、これら左右の上側ベルト具のそれぞれが左右各側の前記透孔のうちの対応する任意な一つに挿通されて前記背もたれ面被い用布状体の後側から前側へ延出された構成となす。
【００１７】
これによれば、前記背もたれ面被い用布状体が左右一対の支持ベルト具を介して背もたれ部に固定されるものとなり、また前記上側ベルト具がこれの挿通される前記透孔を選択することで、その基端部が前記背もたれ面被い用布状体に対する異なる高さ位置に固定された状態となり、従って前記エプロン及び前記上側ベルト具は前記着席者の体格の相違に拘わらず、該着席者の位置ずれを効果的に阻止するものとなる。
【００１８】
また請求項８に記載したように、前記上側ベルト具の自由端側部分、及び又は前記下側ベルト具の自由端側部分を上層側帯部と下層側帯部との二股状に分岐させると共に、これら帯部のうち何れか一方の帯部を他方のものよりも特定寸法だけ長くなしてあり、且つ、前記一方の帯部の先端側を他方の帯部側へ１８０度屈曲してその先端部の上面ｂ２、ｂ５を該一方の帯部の上面ｂ２、ｂ５の任意長さ位置に押し付けて特定結合強度の得られる状態に係合固定させ、該固定状態の下で、前記他方の帯部の先端部の下面ｂ１、ｂ４を前記一方の帯部の先端部の下面ｂ３、ｂ６に押し付けて特定結合強度の得られる状態に係合固定させる構造となす。
【００１９】
これによれば、前記一方の帯部の先端側を環状部材に挿通させて他方の帯部側へ１８０度屈曲してその先端部の上面ｂ２、ｂ５を該一方の帯部の上面ｂ２、ｂ５の任意長さ位置に押し付けて特定結合強度の得られる状態に係合固定させることによる前記環状部材と前記一方の帯部との結合強さが、前記他方の帯部の先端部の下面ｂ１、ｂ４を前記一方の帯部の先端部の下面ｂ３、ｂ６に押し付けて特定結合強度の得られる状態に係合固定させることにより、大幅に増大されるものとなる。
【００２０】
【発明の実施の形態】
以下、本発明の一実施例を図面を参照して説明する。
図１〜図３において、１は自動車の運転席の横に設けられる椅子で、着席者の臀部が載置される座部２と、該着席者の背中を支持するための背もたれ部３とからなっている。そして、背もたれ部３の上縁部にはヘッドレスト４が設けられている。
【００２１】
本発明に係る身体保持具５は、例えば上記のような椅子１に装着されるのであって、以下、上記椅子１に装着する場合の具体例について説明する。
本例の身体保持具５は、背もたれ面被い用布状体６、胴体部用パッド７、エプロン８、座面被い用布状体９、クッション１０、図２に示す股間上部位置ずれ規制体１１、注意喚起物１２などを備えている。
【００２２】
背もたれ面被い用布状体６は背もたれ部３の前面の大部分を被うもので、薄手の柔軟な板状のスポンジを柔軟な布によって被ったものとなされ、やや腰があるものの全体としては十分な柔軟性を有しており、前記着席者の背部に直接に接する個所である前面６ａの全範囲に図示しない雌型の面ファスナーを形成されている。該雌型の面ファスナーは雄型の面ファスナーに較べて軟らかく肌触りがよいもので着席者が触れても不快感を感じさせない。
【００２３】
該背もたれ面被い用布状体６は背もたれ部３に固定されており、その固定には左右一対の支持ベルト具１３、１３が使用されている。該支持ベルト具１３、１３のそれぞれは図４に示すように布帯体１４を有し、該布帯体１４の一端に雌結合具１５を該布帯体１４の長手方向上での位置変更可能な状態に連結し、該布帯体１４の他端側には雄結合具１６を位置変更の不可能な状態に連結したものとなされている。各支持ベルト具１３は図５に示すように背もたれ部３の左右各側の側面視外周囲を取り巻くように縦向きに巻き付けられ、雄結合具１５と雌結合具１６の嵌合操作により各布帯体１４が緊張状態となって雄結合具１５と雌結合具１６とが結合されるものとなされるほか雌結合具１５の結合解除キー１５ａの操作により雄結合具１５と雌結合具１６との結合が解除可能になるものとなされている。
【００２４】
背もたれ面被い用布状体６は図４に示すように、これの上縁部後面をこれら一対の支持ベルト具１３、１３の布帯体１４、１４の特定個所１４ａに縫着され、また下縁部裏面の左右個所に環形成用部材１７、１７が縫着されていて該環形成用部材１７、１７のそれぞれに前記一対の支持ベルト具１３、１３の対応する布帯体１４が挿通されるものとなされている。従って、一対の支持ベルト具１３、１３が背もたれ部３に巻き付けられて緊張状に固定されると、背もたれ面被い用布状体６も背もたれ部３の前面３ａに展開状に固定されるのである。
【００２５】
胴体部用パッド７は左右一対からなり、それぞれは対称形状となされている。一方の胴体部用パッド７について代表的に説明すると、縦向き平面部７ａに前向き突出部７ｂを形成したもので着席者の胴体部と当接する可能性のある内面側個所ａをスポンジ材で被うと共に全体を樹脂シートで被覆し、且つ、背もたれ面被い用布状体６と接する面である平面部７ａ後面の全体に雄型の面ファスナーを形成したものとなされている。ここに、スポンジ材は胴体部用パッド７の内面で胴体部を支持された着席者に痛みを感じさせないようになす上で寄与するものであり、また雄型の面ファスナーは背もたれ面被い用布状体６の雌型の面ファスナーと結合するもので、胴体用パッド７を背もたれ面被い用布状体６の前面６ａの任意位置に脱着可能に固定させる上で寄与するものである。
【００２６】
エプロン８は着席者の胴体部前面の胸部や腹部を含む大部分を被う大きさとなされた布からなるもので、該着席者の首部に位置する個所に凹み部８ａを形成し、下縁部左右個所を横方へ延長した形状となし、また上縁部の左右個所に四角形の環状部材１８を結合布片１９で縫い止めると共に、下縁部の左右端個所に横向きの「日」字形をした環状部材２０の内方辺部を結合布片２１で縫い止めたものとなされている。
【００２７】
該エプロン８は背もたれ面被い用布状体６の前側で支持されるものであり、その支持手段は次のようになされている。即ち、該エプロン８の上縁部左右個所を前記背もたれ部３の前面上部左右個所に結合させるものとした左右一対の上側ベルト具２２、２２と、該エプロン８の下縁部左右個所を前記背もたれ部３の下部左右側部に結合させるものとした左右一対の下側ベルト具２３、２３とを備えている。
【００２８】
上記上側ベルト具２２は図６に示すように「日」字形となされた環状部材２４と、該環状部材２４の中央辺部２４ａに基端部を止着された布帯体２５を有しており、また該布帯体２５は自由端側部分を上層側帯部２６と下層側帯部２７との二股状に分岐させて下層側帯部２７を上層側帯部２６よりも数ｃｍ〜十数ｃｍ程度長くなしてある。そして、上層側帯部２６の下面ｂ１の先部には雄型の面ファスナー２６ａが形成されており、また下層側帯部２７の上面ｂ２及び下面ｂ３の全体には雌型の面ファスナーが形成されると共に該上面ｂ２の先部には雄型の面ファスナー２７ａが形成されている。
【００２９】
左右それぞれの上側ベルト具２２の基端部はその対応する支持ベルト具１３に上下変位自在状態に係着されるのであり、該係着に際しては、支持ベルト具１３の布帯体１４を環状部材２４にこれの上辺部２４ｂの上側位置から中央辺部２４ａの下側位置を経て下辺部２４ｃの上側位置を通過させるように挿通させる。この状態となされた各上側ベルト具２２の布帯体２５は背もたれ面被い用布状体６の上部の左右各側の異なる高さ位置に形成された３つの透孔ｃ１、ｃ２、ｃ３のうちの対応した側の任意な一つに後側から前側へ向けて挿通させて前方へ延出させた状態となされる。ここで、３つの透孔ｃ１、ｃ２、ｃ３のうち上側位置のものに布帯体２５を挿通させると、該布帯体２５の位置は比較的大きい体格の着席者に適応するものとなり、逆に３つの透孔ｃ１、ｃ２、ｃ３のうち下側位置のものに布帯体２５を挿通させると、該布帯体２５の位置は比較的小さい体格の着席者に適応するものとなる。
【００３０】
上記した左右の上側ベルト具２２にエプロン８の上縁部の左右個所を支持させるときは、各上側ベルト具２２について、下層側帯部２７の先端側をその対応する環状部材１８に挿通させた状態の下で上層側帯部２６側へ１８０度屈曲してその先端部の上面ｂ２の雄型の面ファスナー２７ａを該下層側帯部２７の上面ｂ２の任意長さ位置の雌型の面ファスナーに押し付けて特定結合強度の得られる状態に係合固定させ、該固定状態の下で、前記上層側帯部２６の先端部の下面ｂ１の雄型の面ファスナー２６ａを下層側帯部２７の先端部の下面ｂ３の雌型の面ファスナーに押し付けて特定結合強度の得られる状態に係合固定させる。ここに、上層側帯部２６の雄型の面ファスナー２６ａと下層側帯部２７の下面ｂ３の雌型の面ファスナーとの結合は下層側帯部２７のみによる下層側帯部２７と環状部材１８との結合強度を飛躍的に増大させるものとなる。
【００３１】
上記左右の下側ベルト具２３、２３は本実施例では一体状に結合させたものとなされているのであって、具体的には、図５に示すように背もたれ部３の左右幅に関連した特定長さとなされた布帯体２８を備え、該布帯体２８の後面個所で左右の支持ベルト具１３、１３に対応する個所のそれぞれにベルト通し部材２９、２９を縫着し、これらベルト通し部材２９、２９に背もたれ部３の後面に位置した左右の支持ベルト具１３、１３の布帯体１４、１４を挿通させて背もたれ部３の下部に位置させることにより、背もたれ部３の下部の左右各側部に下側ベルト具２３が位置するものとなされている。こうして背もたれ部３の左右の側部に基端部を固定されたと等価な状態となった各下側ベルト具２３、２３の布帯体２８の自由端側部分は図７に示すように、上側ベルト具２２の布帯体２５の場合に準じて、上層側帯部３０と下層側帯部３１との二股状に分岐させて下層側帯部３１を上層側帯部３０よりも数ｃｍ〜十数ｃｍ程度長くなしてある。そして、上層側帯部３０の下面ｂ４の先部には雄型の面ファスナー３０ａが形成されており、また下層側帯部３１の上面ｂ５及び下面ｂ６の全体には雌型の面ファスナーが形成されると共に該上面ｂ５の先部には雄型の面ファスナー３１ａが形成されている。
【００３２】
上記した左右各側の下側ベルト具２３にエプロン８の下縁部の左右個所を支持させるときは、各下側ベルト具２３について、下層側帯部３１の先端側をその対応する環状部材２０に挿通させて外方辺部２０ａ周りの上層側帯部３０側へ１８０度屈曲してその先端部の上面ｂ５の雄型の面ファスナー３１ａを該下層側帯部３１の上面ｂ５の任意長さ位置の雌型の面ファスナーに押し付けて特定結合強度の得られる状態に係合固定させ、該固定状態の下で、前記上層側帯部３０の先端部の下面ｂ４の雄型の面ファスナー３０ａを下層側帯部３１の先端部の下面ｂ６の雌型の面ファスナーに押し付けて特定結合強度の得られる状態に係合固定させる。ここに、上層側帯部３０の雄型の面ファスナー３０ａと下層側帯部３１の下面の雌型の面ファスナーとの結合は、上側ベルト具２２の場合と同様に、下層側帯部３１のみによる下層側帯部３１と環状部材２０との結合強度を飛躍的に増大させるものとなる。
【００３３】
座面被い用布状体９は座部３の上面の大部分を被うもので、厚手の柔軟な布状体となされており、着席者の臀部が載置される個所である上面の全範囲に図示しない雌型の面ファスナーを形成されている。
【００３４】
該座面被い用布状体９は座部２上面に展開状に固定されるのであり、その固定には左右一対の支持ベルト具１３、１３が利用されるのであって、具体的には、図４に示すように、座面被い用布状体９の後端縁の左右個所に結合布片３２、３２を介して四角形の環状部材３３、３３を縫着し、各環状部材３３にその対応する支持ベルト具１３の布帯体１４を挿通させている。これにより、座面被い用布状体９は着席者による通常の外力によっては移動しない状態、即ち固定状態となるのである。
【００３５】
クッション１０は平板状のスポンジ材を布状体で被覆したもので、後方へ向かうほど厚さが減少するものとなされ、また下面の全体又は一部に図示しない雄型の面ファスナーを形成されると共に上面の全体に図示しない雌型の面ファスナーを形成されている。ここに、後方へ向かうほど厚さを減少させたのは着席者の臀部が前方へ位置ずれするのを抑制するためである。
【００３６】
股間上部位置ずれ規制体１１は着席者の股間上部が座部２の前方へ或いは左右方向へ位置ずれするのを規制するためのもので、図２に示すように着席者の股間上部個所の座面２ａ上に固定されるものであり、その形状は例えば前部左右幅を１０ｃｍ〜２５ｃｍ程度となされ後部へ向かうほど左右幅を減少され頂部高さを例えば着席者のへその高さ程度から胸部高さ程度までとなされるほか上面ｄ１を略水平面状となされており、また材質は硬質ウレタンなどの比較的硬い樹脂材を主体としてこれの表面を布で被覆すると共に、底面ｄ２の全体に雄型の面ファスナーを形成し、上面ｄ１の全体に図示しない雌型の面ファスナーを形成したものとなされている。
【００３７】
このようなものとなされた股間上部位置ずれ規制体１１はクッション１０の上面の雌型の面ファスナーと結合させてもよいし、クッション１０を使用しない場合は、座面被い用布状体９の上面の雌型の面ファスナーと結合させてもよい。
【００３８】
注意喚起物１２は幼児とか、脳性小児麻痺などを患っている人などの着席者の注意を引きつけるためのものであって、例えば、図８、図９に示すような植物や動物や人などの縫いぐるみやキャラクタを現したものとか、絵本、漫画本、模型品などとなされ、この際、音、光、臭気を発するものとなすこともよい。該注意喚起物１２は全体として比較的軟らかい性状のものとなすのであり、基本的には内部をスポンジや綿材で形成し、これの表面を布で被覆したものとなす。このようにすれば、着席者の上半身が前方へ傾斜して、顔面や胸部などの身体の一部が注意喚起物１２に衝突しても、注意喚起物１２はこれを軟らかく受け止めて保護するものとなる。該注意喚起物１２の下面ｅ（図８、図９）は平面状になすと共に該下面ｅの全体に図示しない雄型の面ファスナーを形成したものとなされている。
【００３９】
上記注意喚起物１２は、一つの股間上部位置ずれ規制体１１に対し、複数種類を付属させておくのがよいのであり、その使用時には、股間上部位置ずれ規制体１１の上面に該注意喚起物１２の下面ｅを押しつけるのであり、これにより注意喚起物１２の下面ｅの雄型の面ファスナーが股間上部位置ずれ規制体１１の上面ｄ１の雌型の面ファスナーに係合固定される。使用中の注意喚起物１２が着席者に飽きられて注意を喚起しなくなったときは股間上部位置ずれ規制体１１からそれを引き離し、別の注意喚起物１２を股間上部位置ずれ規制体１１に同様に係合固定させる。これにより、別の注意喚起物１２は着席者の新たな注意を喚起するものとなる。
【００４０】
次に以上のようなものとなされた身体保持具５の使用例などについて説明する。
先ず、着席者に関連して、左右の胴体部用パッド７を背もたれ面被い用布状体６の上面の最適位置に係合固定させると共に上側ベルト具２２を３つの透孔ｃ１、ｃ２、ｃ３のうちの最適な一つに挿通させた状態とする。そして、エプロン８を背もたれ部３から分離させると共に股間上部位置ずれ規制体１１をクッション１０の上面から分離させた状態の下で、クッション１０の上面に着席者の臀部を載置し、背もたれ部３の左右の胴体部用パッド７、７間に該着席者の胴体部を位置させる。このとき、着席者は胴体部を左右の胴体部用パッド７、７に係止されて胴体部の左右移動を規制される。
【００４１】
次に股間上部位置ずれ規制体１１を着席者の股間上部となる座面被い用布状体９の上面個所に係合固定させる。これにより、股間上部位置ずれ規制体１１は該着席者の前方向への位置ずれを規制する。
【００４２】
この状態の下で、エプロン８を着席者の胴体部の前面に展開状に当接させ、該エプロン８の上縁部の左右各側を左右の上側ベルト具２２、２２の先部に結合させ、また該エプロン８の下縁部の左右各端部を左右の下側ベルト具２３、２３の先部に結合させる。この際、各ベルト具２２、２３の下層側帯部２７、３１の１８０度の折り曲げ位置を任意に変更することにより各ベルト具２２、２３を適度な緊張状態となすのであり、これにより胴体部は前方及び左右方向の位置ずれが許容限度を超えないように規制された状態となる。
【００４３】
そして最後に、股間上部位置ずれ規制体１１の上面ｄ１に注意喚起物１２を、着席者にとって適正姿勢となるように係合固定させるのである。これにより、着席者は注意喚起物１２に注意を喚起されて注意喚起物１２を触るなどして時間を費やすようになり、介護者が運転者であるときは運転に集中できるのであり、また着席者が不用意に操縦部材を触ることもなくなるのである。
時間が経過すると、着席者は注意喚起物１２に飽きるようになるが、このときは車内に用意した別の注意喚起物１２と取り替えるようにする。
【００４４】
ところで、着席者が比較的大きな体格をしているときはクッション１０は使用しないのであり、この場合は、座面被い用布状体９の上面に直接に股間上部位置ずれ規制体１１を係合固定させるのであり、注意喚起物１２はこのように固定された股間上部位置ずれ規制体１１の上面ｄ１に係合固定させる。
【００４５】
また、注意喚起物１２は着席者の腹部の高さ程度に位置させても胸部の高さ程度に位置させても差し支えないが、胸部の高さ程度にしておくと、自動車が急停止するなどして着席者の上半身が勢いよく前方向へ傾斜したとき、注意喚起物１２や股間上部位置ずれ規制体１１が該着席者の顔面や胸部に近接した位置で顔面や胸部を軟らかく受け止め着席者が負傷するのを確実に防止するものとなる。
【００４６】
上記実施例は次のように変形してもよい。
即ち、座面被い用布状体９を省略すると共に、クッション１０は下面の雄型の面ファスナーに代えて、座面２ａとの相対滑り変位を規制するための摩擦増大手段を設けた構成となす。なお、このようなものとなされたクッション１０は既に出願人により製造販売されている。
【００４７】
この場合、クッション１０を座面２ａ上の最適位置に載置した状態となしておき、該クッション１０上に着席者が位置されるほかは先と同様に使用される。このようにすれば、身体保持具５の必要ない者が椅子に座るとき、クッション１０や胴体部用パッド７を取り除いた状態の下で心地よく着座できるようになる。
【００４８】
また股間上部位置ずれ規制体１１及び注意喚起物１２は先の実施例では別体となされているが、必ずしもこれに限定されるものではないのであり、図１０に示すように同体状のものとなしても差し支えない。ただし、この場合は、注意喚起物１２を複数用意するときは股間上部位置ずれ規制体１１も同数のものを用意する必要がある。
【００４９】
【発明の効果】
以上に説明した本発明によれば次のような効果が得られる。
即ち、請求項１に記載したものによれば、股間上部位置ずれ規制体１１により着席者の身体の左右変位や前方変位を規制することができる上に、股間上部位置ずれ規制体１１に注意喚起物１２を安定的に支持させて該着席者の注意を該注意喚起物１２に向けさせて該注意喚起物１２を手遊びの対象となすように夢中にさせることができ、これにより該着席者の無用の手足の動作を防止してこれらの動作に起因した弊害を解消させることができる。例えば、自動車などの椅子１に本発明品を装着して、これに幼児や脳性小児麻痺などの疾患者を保持させた状態とすれば、これらの者が操縦部材などに不用意に触れるのを防止できて運転者を運転に集中させることができる。また自動車の椅子や車椅子などに使用すると、着席者に前方への外力が作用して上半身が急激に前方へ倒されるようになっても、その顔面や胸部を注意喚起物１２や股間上部位置ずれ規制体１１に軟らかく受け止めさせて着席者を保護することができる。
【００５０】
また請求項２記載のものによれば、請求項１記載の発明と同様な効果が得られる上に次のような効果が得られるのであって、即ち、エプロン８と左右一対の上側ベルト具２２及び下側ベルト具２３とで、着席者の胴体部の前方及び左右方向の位置ずれを効果的に許容限度以内に規制することができ、また胴体部が前方へ倒れようとしたとき、エプロン８に胴体部の前面の比較的広い範囲を支持させることができて、着席者の胴体部の局所に作用する押圧力を小さくすることができる。
【００５１】
請求項３記載のものによれば、股間上部位置ずれ規制体１１の固定手段がクッション１０であるときは、着席者の座り心地を良好となすことができると共に、その厚さが便利に変更されるため、身体保持具５の他の構成を変更しないでも保持具５を簡便に着席者の体格に適合させることができるのであり、また前記固定手段が座面被い用布状体９であるときは、それがクッション１０である場合に較べて、股間上部位置ずれ規制体１１を座部２ａ上面の性状とは無関係にしっかりと座面２ａに固定させることができ、着席者の位置ずれを安定的に規制することができるのであり、また前記固定手段が座面被い用布状体９及びクッション１０からなるときは、座面被い用布状体９による利点とクッション１０による利点の両者を同時に得ることができる。
【００５２】
請求項４記載のものによれば、注意喚起物１２が例えば熊などの縫いぐるみからあざらしなどの縫いぐるみに交換されることにより、着席者に新たな注意を喚起させるものとなり、着席者の注意を、注意喚起物１２を交換しない場合に較べて長く引きつけることができる。
【００５３】
請求項５記載のものによれば、衝撃などで着席者の上半身が前方へ倒れるようになったときでも、股間上部位置ずれ規制体１１及び注意喚起物１２にその胸部や顔面をこれらに一層近い位置で衝撃の少ない状態に受け止めさせて支持させることができ、着席者を効果的に保護することができる。
【００５４】
請求項６記載のものによれば、着席者の注意をさらに効果的に引きつけることができる。
【００５５】
請求項７記載のものによれば、背もたれ面被い用布状体６をこれの装着される椅子１を改造しないでも左右一対の支持ベルト具１３、１３を介して背もたれ部３に固定させることができ、また上側ベルト具２２を挿通させる透孔ｃ１、ｃ２、ｃ３を選択することで、その基端部を背もたれ面被い用布状体６に対する異なる高さ位置に固定させることができ、従って着席者の体格の相違に拘わらず、エプロン８及び上側ベルト具２２で該着席者の位置ずれを効果的に阻止することができる。
【００５６】
請求項８記載のものによれば、下層側帯部２７、３１のみによる下層側帯部２７、３１と環状部材１８、２０との結合強度を、上層側帯部２６、３０と下層側帯部２７、３１との係合固定により飛躍的に増大させることができるのであり、従って着席者に前方への大きな外力が作用してもエプロン８及び上側ベルト具２２及び下側ベルト具２３で着席者の位置ずれを確実に阻止することができる。
【図面の簡単な説明】
【図１】本発明に係る身体保持具を椅子に装着した状態を示す図である。
【図２】上記身体保持具に幼児を着席させた状態を示す図である。
【図３】上記身体保持具に注意喚起物を装着した状態を示す図である。
【図４】上記身体保持具の大部分を示す図である。
【図５】上記身体保持具を装着された椅子を斜め後方から見た図である。
【図６】上記身体保持具の上側ベルト具などを示す図である。
【図７】上記身体保持具の下側ベルト具を示す図である。
【図８】上記身体保持具に使用される注意喚起物（ひまわり）などを示し、Ａは正面図、Ｂは斜め前方から見た図、Ｃは斜め後方から見た図である。
【図９】上記身体保持具に使用される注意喚起物（熊）などを示し、Ａは正面図、Ｂは斜め前方から見た図、Ｃは斜め後方から見た図である。
【図１０】上記身体保持具に使用される注意喚起物（あざらし）などを示し、Ａは正面図、Ｂは斜め前方から見た図、Ｃは斜め後方から見た図である。
【符号の説明】
１  椅子
２  座部
３  背もたれ部
５  身体保持具
７  胴体部用パッド
８  エプロン
９  座面被い用布状体（固定手段）
１０  クッション（固定手段）
１１  股間上部位置ずれ規制体
１２  注意喚起物
２２  上側ベルト具
２３  下側ベルト具
２６  上層側帯部
２７  下層側帯部
３０  上層側帯部
３１  下層側帯部
ｂ１  下面
ｂ２  上面
ｂ３  下面
ｂ４  下面
ｂ５  上面
ｂ６  下面
ｃ１  透孔
ｃ２  透孔
ｃ３  透孔
【図１】
2004268893.tif 000003
【図２】
2004268893.tif 000004
【図３】
2004268893.tif 000005
【図４】
2004268893.tif 000006
【図５】
2004268893.tif 000007
【図６】
2004268893.tif 000008
【図７】
2004268893.tif 000009
【図８】
2004268893.tif 000010
【図９】
2004268893.tif 000011
【図１０】
2004268893.tif 000012